(57)【要約】【目的】  この出願の発明は薬剤を使用したり、洗浄または殺菌の様な特別な処理加工を必要とすることなく簡単な器具と操作で生ゴミ収納部の水切りと殺菌および洗浄筒の内面に付着している滑り等の汚物を除去することができる主として家庭における台所の排水筒の洗浄具を提供するものである。【構成】  回転可能に設けられた生ゴミ収納部の側面および底面に取り外し自在に銅またはアルミニウムの支柱からなるブラシ等の洗浄部材を生ゴミ収納部に対して縦方向または螺旋形状に設けて、生ゴミ収納部の頂部に設けられた回転用つまみ部を利用して生ゴミ収納部を回転させる。【選択図】  図２
2006063706.tif 000002
【特許請求の範囲】
【請求項１】
回転可能に設けられた生ゴミ収納部の側面および底面に洗浄部材が取り外し自在に設けられていることを特徴とする生ゴミ収納部の水切りと排水筒洗浄具  
【請求項２】
洗浄部材が複数個設けられていることを特徴とする請求項１に記載された生ゴミ収納部の水切りと排水筒洗浄具
【請求項３】
洗浄部材が銅またはアルミニュウムの支柱からなるブラシであることを特徴とする請求項１または２に記載された生ゴミ収納部の水切りと排水筒洗浄具
【請求項４】
洗浄部材が生ゴミ収納部の側面に縦方向に設けられていることを特徴とする請求項１ないし３のいずれかに記載された生ゴミ収納部の水切りと排水筒洗浄具
【請求項５】
洗浄部材が生ゴミ収納部の側面に螺旋形状に設けられていることを特徴とする請求項１ないし３のいずれかの生ゴミ収納部の水切りと排水筒洗浄具
【請求項６】
生ゴミ収納部の上方縁部を受け部の凹溝に嵌合して保持されていることを特徴とする請求項１ないし５のいずれかに記載の生ゴミ収納部の水切りと排水筒洗浄具
【請求項７】
生ゴミ収納部の上方縁部を受け部の凹溝に無理嵌めして保持されていることを特徴とする請求項１ないし５のいずれかに記載の生ゴミ収納部の水切りと排水筒洗浄具
【請求項８】
生ゴミ収納部の上端部の突起部を断面がコの字型をした受け部に設けられたスリットに嵌合して保持されていることを特徴とする請求項１ないし５のいずれかに記載の生ゴミ収納部の水切りと排水筒洗浄具
【発明の詳細な説明】
【技術分野】
【０００１】
この出願の発明は台所の流し台の排水部分の洗浄具に関するものであり、特に生ゴミ収納部の水切りと殺菌および排水筒の表面に付着する滑り等の汚染を洗浄する洗浄具に関するものである。
【背景技術】
【０００２】
調理場は毎日の食事のための食材を加工する処であり、家庭やレストランを問わず良好な環境衛生の維持管理が求められている。特に家庭の流し台の排水部分は残飯その他の生ゴミ等の量が比較的少ないため１日中そのままの状態で保持されることが多く細菌の巣となっている。流し台の排水構造は排水筒と生ゴミと排水を分離するための排水孔が設けられた生ゴミ収納部と生ゴミ収納部から出る排水を放出する排出管とから構成されている。
【０００３】
排水部における滑り等の汚物は生ゴミ収納部だけでなく、この生ゴミ収納部が挿入されている排水筒の表面にも付着する。生ゴミ収納部は取り出して洗浄することが可能であるが、排水筒は固定されているため排水筒の洗浄は主婦にとりかなりの労働となっている。
【０００４】
この台所流し台を清潔に維持するための方法や装置に関する特許出願も数多く出願されている。例えば、生ゴミ収納部そのものを洗浄ブラシで洗浄するもの（特許文献１）、排水部分を殺菌メッキするもの（特許文献２）、洗浄剤を利用するもの（特許文献３）、L字型排水継ぎ手における縦管部と横管部との連結底部に傾斜面を設けて排水による自浄作用を促す機構のもの（特許文献４）等の様々改良方法が提案されている。
【特許文献１】特開２００３−１１９８６４号公報
【特許文献２】特開２００３−  ８２７３５号公報
【特許文献３】特開２００２−２４０８７６号公報
【特許文献４】特開２００３−２５３７１９号公報
【発明の開示】
【発明が解決しようとする課題】
【０００５】
しかしながら、従来の流し台の排水の洗浄具はホテルやレストラン等を対象とするものが多く主として大型であり家庭用としては取り扱いが不向きであったり、薬剤を使用したり、洗浄または殺菌の様な特別な処理加工を必要としたりの高価で操作が複雑なものが多い。この出願の発明は低価格で、しかも簡単な操作で生ゴミ収納部の水切りと殺菌および排水筒の表面に付着している滑り等の汚物を除去することができる流し台の排水筒洗浄具を提供するものである。
【課題を解決するための手段】
【０００６】
この出願の発明は第１には、回転可能に設けられた生ゴミ収納部の側面および底面に洗浄部材が取り外し自在に設けられている生ゴミ収納部の水切りと流し台の排水筒洗浄具を提供し、第２には、洗浄部材が複数個設けられている上記の流し台の排水筒洗浄具を提供し、第３には、洗浄部材が銅またはアルミニュウムの支柱からなるブラシである上記の流し台の排水筒洗浄具を提供し、第４には、洗浄部材が生ゴミ収納部の側面に縦方向に設けられている上記の流し台の排水筒洗浄具を提供し、第５には、洗浄部材が生ゴミ収納部の側面に螺旋形状に設けられている上記の流し台の排水筒洗浄具を提供し、また第６には、生ゴミ収納部の上方縁部を受け部の凹溝に嵌合して保持されている上記の流し台の排水筒洗浄具を提供し、さらに第７には、生ゴミ収納部の上方縁部を受け部の凹溝に無理嵌めして保持されている上記の流し台の排水筒洗浄具を提供し、またこの出願の発明は、第８には、生ゴミ収納部の上端部の突起部を断面がコの字型をした受け部に設けられたスリットに嵌合して保持されている上記の流し台の排水筒洗浄具を提供する。
【発明の効果】
【０００７】
上記第１の流し台の洗浄具によれば、洗浄部材を設けた生ゴミ収納部を回転させることにより生ゴミ収納部の水切りと共に排水筒の内面に付着している滑り等の汚物を洗浄することができる。
上記第２の流し台の洗浄具によれば、複数の洗浄部材を取り付けることにより水切りと効率的な排水筒の滑り等の汚物を洗浄することができる。
上記第３の流し台の洗浄具によれば、銅またはアルミニウムの支柱からなるブラシ等の洗浄部材を設けることにより排水機構の水切りと洗浄および殺菌を行うことができる。
上記第４の流し台の洗浄具によれば、少なくとも１回生ゴミ収納部を回転させることにより排水筒の内面を洗浄することができる、
上記第５の流し台の洗浄具によれば、洗浄部材を生ゴミ収納部の側面に螺旋形状に設けられていることにより排水筒の滑り等の汚染物を下方へ排出することができる。
上記第６の流し台の洗浄具によれば、生ゴミ収納部の上端を受け部の凹溝に嵌合して保持することにより生ゴミ収納部を安定して回転することができる。
上記第７の流し台の洗浄具によれば、生ゴミ収納部の上端を受け部の凹溝の入り口に無理嵌めされていることにより生ゴミ収納部をさらに安定して回転することができる。
上記第８の流し台の洗浄具によれば、断面コの字型の受け部の開口部に生ゴミ収納部の上方縁部の凸起部を嵌合することにより生ゴミ収納部を安定して回転することができる。
【発明を実施するための最良の形態】
【０００８】
この出願の発明は生ゴミ収納部の側面および底面に銅またはアルミニウムの支柱からなるブラシ等の洗浄部材が設けられた生ゴミ収納部を、その生ゴミ収納部の頂部に設けられた回転用つまみ部で回転させることにより生ゴミ収納部の水切りと排水筒の表面に付着した滑り等の汚物を除去する流し台の排水洗浄具である。この生ゴミ収納部に設けられるブラシ等の洗浄部材の支柱は銅またはアルミニウム等からなる殺菌性の金属線で成形されているため生ゴミ収納部を回転させることにより水切りと排水筒の内面に付着している滑り等の汚物を効率的に除去すると共に排水部分の殺菌を行うことができる。また、この洗浄部材は取り外し自在に設けられているため、汚れた場合には生ゴミ収納部から取り外して洗浄や殺菌を容易に行うことができる。
【０００９】
この洗浄部材は生ゴミ収納部の縦方向に１本設けた場合には生ゴミ収納部を１回転させることにより排水筒の表面を洗浄することになるが、好ましくは複数本設けて回転する方が効果的である。また、生ゴミ収納部に対して螺旋形状に設けたものを回転させることにより排水筒に付着した滑りを積極的に下方へ落下させることができる。
【００１０】
この出願の発明を図１〜図４に従って説明すると、図１はこの出願の発明の台所流し台の排水機構の全体を示した断面図である。流し台の排水機構に設けられた排水筒（１）の下方には排水を放出する排水管（５）が設けられており、この排水管（５）の頂部には悪臭の放散を抑制するための排水管蓋（６）が設けられている。また排水筒（１）には生ゴミ収納部（２）が装填されている。
【００１１】
この生ゴミ収納部（２）は安定して設置できるように生ゴミ収納部受け（７）には凸部が設けられ生ゴミ収納部（２）の底部には凹部（８）が設けられており互いに嵌合されている。生ゴミ収納部（２）の側面および底面には生ゴミ収納部（２）を回転させることにより排水筒（１）内面に付着した滑り等の汚物を除去できるようにブラシ等の洗浄部材（４）が設けられている。
【００１２】
この洗浄部材（４）は生ゴミ収納部（２）に設けられた適当な洗浄部材留め具（３）によって取り外し可能に設けられているが、この洗浄部材留め具（３）は生ゴミ収納部（２）に溝部（３）を設けてもよく、また生ゴミ収納部（２）の表面に適当な係止具（３）を設けてもよい。そして、生ゴミ収納部（２）の上方端部には生ゴミ収納部（２）を回転するため回転用つまみ部（１０）等の適当な回転手段が設けられている。また、生ゴミ収納部（２）の上方端部は生ゴミ収納部（２）が安定して回転できるように受け部（１２）の凹部に嵌合できる嵌合用突起部（９）が設けられている。この出願の発明の排水筒の洗浄具はこのような構造をしており菊割れ蓋（１１）で被覆されている。
【００１３】
図２はこの出願の発明の他の形態を示したものであるが、この図２で示されているものは図１で示されているものに比べて生ゴミ収納部（２）の上方縁部に設けられた受け部（１２）との嵌合手段が異なっている。すなわち、図２で示されているものは生ゴミ収納部（２）に設けられている嵌合用突起部（９）と受け部（１２）が無理嵌めによって嵌合されており脱落が抑制されるように工夫されている。なお、生ゴミ収納部（２）と受け部（１２）との嵌合手段としては図示したものに限られるものではなく、例えば受け部（１２）を断面コの字型にして受け部の上面にスリットを入れ、生ゴミ収納部（２）に設けられている嵌合用突起部（９）を挿入させて水平方向には自由に回転することができるように嵌合する方法等もある。
【００１４】
図３は生ゴミ収納部（２）の側面および底面に取り外し可能に設けられたブラシ等の洗浄部材（４）の形態を示したものである。また、図４は生ゴミ収納部（２）の側面および底面に取り外し可能に螺旋形状に設けられた洗浄部材（４）を示したものである。このように螺旋形状の洗浄部材（４）が設けられた生ゴミ収納部（２）を回転させることにより排水筒（１）内面に付着した滑り等の汚物は積極的に下方へ押しやることが可能となる。
【産業上の利用可能性】
【００１５】
この出願の発明は比較的小規模な台所の流し台を洗浄するのに好適な装置であるが、特に家庭用に限定することなく一般の食堂やレストラン、あるいは学校の給食用の調理場等の流し台の洗浄具としても広く活用できる。
【図面の簡単な説明】
【００１６】
【図１】生ゴミ収納部の上端縁部を受け部の凹溝に挿入して保持した状態の排水機構の全体を示す断面図である。
【図２】生ゴミ収納部の上端縁部を受け部に無理嵌めして保持した状態の排水機構の全体を示す断面図である。
【図３】生ゴミ収納部の側面および底面に洗浄部材を縦方向に取り付けた状態を示す斜視図である。
【図４】生ゴミ収納部の側面および底面に洗浄部材を螺旋形状に取り付けた状態を示す斜視図である。
【符号の説明】
【００１７】
１  排水筒
２  生ゴミ収納部  
３  洗浄部材留め具
４  洗浄部材
５  排水管
６  排水管蓋
７  生ゴミ収納部受け凸部
８  生ゴミ収納部の底面凹部
９  嵌合用突起
１０  回転用つまみ部
１１  菊割れ蓋
１２  受け部
【図１】
2006063706.tif 000003
【図２】
2006063706.tif 000004
【図３】
2006063706.tif 000005
【図４】
2006063706.tif 000006